(57)【要約】【課題】ピックアップの寸法形状に制約を受けることなく、ＭＤ（ディスク）の挿排時に、ピックアップ用開口部に脱落することがないディスク再生装置におけるディスク挿排機構を提供する。【解決手段】  ＭＤの挿排をおこなう挿排ホルダ４１ａの両端部に突起部７０を形成し、この突起部７０の上面部７１とクランパ２０に形成した鍔部８０の内面部８１とを当接させることにより、クランパ２０の内部に配置された挿排ホルダ４１ａを、クランパ２０の鍔部８０と挿排ホルダ４１ａに形成された突起部７０との係合により支持し、ピックアップ用開口部６０から挿排ホルダ４１ａが脱落することを防止する。【選択図】      図２
2005141877.tif 000002
【特許請求の範囲】
【請求項１】
挿入口から挿入されたディスクを内部に保持するクランパと、当該クランパ内を進退自在に移動するとともに、前記ディスクを把時した状態で、当該ディスクをターンテーブルの位置まで挿入およびターンテーブルの位置から排出する挿排ホルダとを備える挿排機構と、ターンテーブルに載置されたディスクの情報を読み取るピックアップとから構成されるディスク再生装置における挿排機構であって、
前記クランパの両端部には、内方に向けて屈曲した鍔部が設けられ、
前記挿排ホルダの両端部には、突起部が形成され、
前記挿排ホルダによる、前記ディスクの挿排時には、前記鍔部の内面部に対して、前記挿排ホルダの突起部が当接自在となっていることを特徴とするディスク再生装置におけるディスク挿排機構。
【請求項２】
前記突起部には、当該突起部の外側に向けて、ほぼ直角に延出された延出部が形成され、当該延出部は、前記鍔部の内面部に対して当接自在となっていることを特徴とする請求項１に記載のディスク再生装置におけるディスク挿排機構。
【請求項３】
前記突起部には、当該突起部の外側に向けて、ほぼ直角に延出された延出部が形成され、前記突起部の高さ寸法は、前記鍔部の内面部または外面部に対して近接する位置となるように選定されていることを特徴とする請求項１に記載のディスク再生装置におけるディスク挿排機構。
【請求項４】
前記突起部は、前記挿排ホルダを構成する材料と同一の材料により一体成形されていることを特徴とする請求項１、２または３に記載のディスク再生装置におけるディスク挿排機構。
【発明の詳細な説明】
【技術分野】
【０００１】
本発明は、ＭＤ（ミニディスク）などを再生するディスク再生装置におけるディスクの挿排機構に関し、特にＭＤなどのカートリッジ収納型のディスクをディスク再生装置に挿入するとともに、このディスクの取り出し（排出）をおこなうディスク再生装置におけるディスク挿排機構に関する。
【背景技術】
【０００２】
近年では、オーディオ機器としてＭＤ（ミニディスク）に記録された音楽を再生することのできる車載用のＭＤ再生装置が広く普及している。このＭＤ再生装置は、ターンテーブルに載置（セット）されたＭＤをスピンドルモータにより高速回転させ、このＭＤのディスク面（トラック）に記録された情報をピックアップの対物レンズを介して読み取ることにより音声情報として再生するものである。概略的には、ピックアップによりレーザビームを対物レンズを介してディスクの記録面に照射し、このディスクから反射された反射光をＲＦ信号として取得し、このＲＦ信号をアナログ信号に変換することで、ディスクに記録された音声情報を再生するようにしている。
【０００３】
また、上述のように構成されるＭＤ再生装置には、ＭＤ再生装置の挿入口から挿入されたディスク（ＭＤ）をピックアップによる読み取り位置まで移動し、ターンテーブル上に載置（セット）するための挿入機構および再びＭＤを装置本体から排出して取り出すための排出機構（以下、挿入機構および排出機構を含めて『ＭＤ（ディスク）挿排機構』と称する）が設けられている。
【０００４】
以下、従来のＭＤ再生装置におけるＭＤ挿排機構の概略について、図１を参照して、簡単に説明する。すなわち、図１に示すように、ＭＤ再生装置１０の主要部は、挿入口１１から挿入されたディスク（ＭＤ）を内部に保持するクランパ２０と、このクランパ２０の内部を進退自在（図１の上下方向）に移動するとともに、ディスク（ＭＤ）を把時した状態で、このディスク（ＭＤ）をターンテーブル３０の位置まで移送（挿入）およびターンテーブル３０の位置から排出する挿排機構４０と、ターンテーブル３０に載置されたＭＤの情報を読み取るピックアップ５０とから構成されている。
【０００５】
すなわち、挿排機構４０は、クランパ２０および挿排ホルダ４１ａと、これらクランパ２０および挿排ホルダ４１ａをターンテーブル３０の位置まで、上下に移送可能とする昇降機構（図示せず）とを備えており、このうち、挿排ホルダ４１ａは、クランパ２０の内部にその片側（図１の右側）が支持された状態で配設されている。
【０００６】
また、挿排ホルダ４１ａには、挿入口１１から挿入されたＭＤを把持するための一対の把持アーム４３、４３が設けられている。これら把持アーム４３、４３先端部には、鉤状の爪部４４が形成されており、この爪部４４がＭＤに形成された凹部と係合することにより、ＭＤを挿排ホルダ４１によって、ピックアップ５０による読み取り位置（ターンテーブル３０の位置）まで移送するようにしている。
【０００７】
また、クランパ２０の所定位置（ピックアップ５０による読み取り位置）には、ピックアップ用開口部６０が形成されている。このピックアップ用の開口部６０は、ピックアップ５０がクランパ２０或いは挿排ホルダ４１と干渉（接触）することを防止するために形成されている。
【０００８】
以上のように構成される挿排機構４０においては、挿入口１１から挿入されたディスク（ＭＤ）は、挿排ホルダ４１の把持アーム４３により、把持された状態で、クランパ２０内を移動し、このクランパ２０の所定の位置まで移動した後、昇降機構の作動により、このクランパ２０および挿排ホルダ４１がターンテーブル３０の位置まで下降し、ＭＤをターンテーブル３０上に載置する。以下、ターンテーブル３０はスピンドルモータ（図示せず）の駆動により、回転するとともに、ピックアップ５０による読み取りがおこなわれるものとなる。
【０００９】
そして、従来から、この種のターンテーブルの挿排機構としては、光ディスクとカートリッジ型の両方の媒体を単一の装置でローディングすることができる光ディスク媒体用ローディング装置が記載されている（特許文献１参照）。
【００１０】
【特許文献１】特開２００１−１８４７６６号公報
【発明の開示】
【発明が解決しようとする課題】
【００１１】
しかしながら、上述した従来におけるディスク再生装置における挿排機構の場合、以下のような問題がある。すなわち、元来、ＭＤ用のＭＤ再生装置は、車載用のオーディオ機器としてではなく、持ち運び用のポータブルタイプ用（ＭＤプレーヤ）として主に普及している。そして、このようなポータブルタイプのＭＤプレーヤに搭載されているピックアップは、薄さを追求しているため、ディスクとピックアップ本体との距離が近くなっている。また、この様な薄型のピックアップは量産できるため、量産効果により安価となっている。
【００１２】
一方、車載用のＭＤ再生装置には、ディスクとピックアップの本体との距離が遠いピックアップが搭載されていることが多かった。そして、このようなピックアップは、ポータブルタイプ用（ＭＤプレーヤ）との共用ができないため、生産数量が限定されることからコストが高価となっている。
【００１３】
ここで、同形状のピックアップの大量生産や互換性、部品コストの低減を考慮すると、車載用のＭＤ再生装置に搭載するピックアップも、汎用機と同様に、コストの安価なピックアップを採用することが望ましい。
【００１４】
ところが、前述したように、ポータブルタイプ用（ＭＤプレーヤ）のピックアップは、ディスクとピックアップとの距離が近いため、このようなピックアップを、車載用のＭＤ再生装置に搭載した場合には、このピックアップとの干渉を防止するために、ピックアップ用開口部６０を従来よりも広く（大きく）する必要がある。ところが、上述したような理由から、ピックアップ用開口部６０の寸法を大きく設定した場合には、図７の挿排ホルダ４１ａが載置された状態から、図８に示すように、クランパ２０内を移動する挿排ホルダ４１ａの片側（図８の左側）がピックアップ用開口部６０から脱落する恐れがあり、この結果、ディスクの挿排不良が発生するという問題がある。
【００１５】
以上のように、車載用のＭＤ再生装置に搭載するピックアップの形状（寸法）に制約を受けることなく、ＭＤに対する挿排を良好におこなうことができるディスク再生装置の挿排機構の実現が要求されている。
【００１６】
そこで、この発明は、上述した従来技術による問題点を解消するためになされたものであり、車載用のＭＤ再生装置に搭載する採用（搭載）するピックアップの形状（寸法）に制約を受けることなく、ディスクに対する挿排を良好におこなうことができるディスク再生装置におけるディスク挿排機構を提供することを目的とする。
【課題を解決するための手段】
【００１７】
上述した課題を解決し、目的を達成するために、請求項１の発明に係るディスク再生装置におけるディスク挿排機構は、挿入口から挿入されたディスクを内部に保持するクランパと、当該クランパ内を進退自在に移動するとともに、前記ディスクを把時した状態で、当該ディスクをターンテーブルの位置まで挿入およびターンテーブルの位置から排出する挿排ホルダを備えた挿排機構と、ターンテーブルに載置されたディスクの情報を読み取るピックアップとから構成されるディスク再生装置における挿排機構であって、前記クランパの両端部には、内方に向けて屈曲した鍔部が設けられ、前記挿排ホルダの両端部には、突起部が形成され、前記挿排ホルダによる、前記ディスクの挿排時には、前記鍔部の内面部に対して、前記挿排ホルダの突起部が当接自在となっていることを特徴とする。
【００１８】
この請求項１に記載の発明によれば、クランパの両端部には、内方に向けて屈曲した鍔部が設けられ、前記挿排ホルダの両端部には、突起部が形成され、前記挿排ホルダによる、前記ディスクの挿排時には、前記鍔部の内面部に対して、前記挿排ホルダの突起部が当接自在となっている。
【００１９】
また、請求項２の発明に係るディスク再生装置におけるディスク挿排機構は、請求項１に記載の発明において、前記突起部には、当該突起部の内側に向けて、ほぼ直角に延出された延出部が形成され、当該延出部は、前記鍔部の内面部または外面部に対して当接自在となっていることを特徴とする。
【００２０】
この請求項２に記載の発明によれば、突起部の内側に向けて、ほぼ直角に延出された延出部が形成され、当該延出部は、前記鍔部の内面部または外面部に対して当接自在となっている。
【００２１】
また、請求項３の発明に係るディスク再生装置におけるディスク挿排機構は、請求項１の発明において、前記突起部には、当該突起部の内側に向けて、ほぼ直角に延出された延出部が形成され、挿排ホルダの両端部に形成される突起部の高さ寸法は、前記鍔部の内面部に対して近接する位置となるように設定されていることを特徴とする。
【００２２】
この請求項３に記載の発明によれば、挿排ホルダに形成された両端部の突起部の高さ寸法は、前記鍔部の内面部に対して近接する位置となるように設定されている。
【００２３】
また、請求項４の発明に係るディスク再生装置におけるディスク挿排機構は、前記突起部は、前記挿排ホルダを構成する材料と同一の材料により一体成形されていることを特徴とする。
【００２４】
この請求項４に記載の発明によれば、前記突起部は、前記挿排ホルダを構成する材料と同一の材料により一体成形されている。
【発明の効果】
【００２５】
請求項１の発明によれば、クランパの両端部には、内方に向けて屈曲した鍔部が設けられ、前記挿排ホルダの両端部には、突起部が形成され、前記挿排ホルダによる、前記ディスクの挿排時には、前記鍔部の内面部に対して、前記挿排ホルダの突起部が当接自在となっているので、ピックアップ用開口部を大きく設定した場合でも、このピックアップ用開口部から挿排ホルダの脱落を防止することができるうえ、ＭＤの挿排不良（ローディング不良）を防止できるという効果を奏する。これによって、ピックアップ部品のコストダウンを実現できるという効果を奏する。
【００２６】
また、請求項２の発明によれば、前記突起部には、当該突起部の内側に向けて、ほぼ直角に延出された延出部が形成され、当該延出部が、前記鍔部の内面部または外面部に対して当接自在となっているので、挿排ホルダの両端部に形成された延出部が、鍔部の内面部または外面部と係合することにより、この挿排ホルダがピックアップ用開口部から脱落する防止作用をより向上できるという効果を奏する。
【００２７】
また、請求項３の本発明によれば、挿排ホルダの両端部に形成される突起部の高さ寸法は、前記鍔部の内面部に対して近接する位置となるように設定されているので、突起部によりピックアップ用開口部から挿排ホルダが脱落することを防止できるうえ、クランパの内部で移動する挿排ホルダの傾きが最小となることから、挿排ホルダをクランパの内部で安定した状態で支持することができ、これにより、クランパ内を移動する挿排ホルダの摺動性を良好とすることができるという効果を奏する。
【００２８】
また、請求項４の本発明によれば、前記突起部は、前記挿排ホルダを構成する材料と同一となる材料により一体成形されているので、突起部の強度の確保および製造を容易におこなうことができるという効果を奏する。
【発明を実施するための最良の形態】
【００２９】
以下に添付図面を参照して、この発明に係るディスク再生装置におけるディスク挿排機構の好適な実施例を詳細に説明する。図１は、本発明に係るＭＤ再生装置１０を構成する要部を示す概略構成図を、図２は、図１のＸ−Ｘ断面図をそれぞれ示している。また、図中の矢印Ｐは、ＭＤ（ディスク）の挿入方向を示している。なお、以下に示す実施例によりこの発明が限定されるものではない。
【実施例１】
【００３０】
すなわち、図１に示すように、ＭＤ再生装置１０は、挿入口１１から挿入されたディスク（ＭＤ）を内部に保持するクランパ２０と、このクランパ２０の内部を図１の上下方向（Ａ-Ｂ方向）に向けて進退自在に移動するとともに、ディスク（ＭＤ）を把時した状態で、このディスク（ＭＤ）をターンテーブル３０の位置まで移送（挿入）およびターンテーブル３０の位置から排出する挿排機構４０と、このターンテーブル３０を高速回転させるスピンドルモータ（図示せず）と、ターンテーブル３０に載置されたＭＤの情報を読み取るピックアップ５０とから構成されている。
【００３１】
挿排機構４０は、クランパ２０および挿排ホルダ４１ａと、これらクランパ２０および挿排ホルダ４１ａをターンテーブル３０の位置まで、上下に移送可能とする駆動モータおよび伝達ギヤとから構成される昇降機構（図示せず）とを備えており、このうち、挿排ホルダ４１は、クランパ２０の内部にその片側（図１の右側）が支持された状態で配設されている。
【００３２】
また、挿排ホルダ４１ａには、挿入口１１から挿入されたＭＤを把持するための一対の把持アーム４３、４３が設けられるとともに、これら把持アーム４３、４３の先端部には、鉤状の爪部４４が形成されており、この爪部４４がＭＤに形成された凹部と係合することにより、ＭＤを挿排ホルダ４１ａによって、ディスクをピックアップ５０による読み取り位置（ターンテーブル３０の位置）まで移送するようにしている。
【００３３】
５１は、ピックアップにより照射されたレーザビームを収束させて焦点を生成するための対物レンズである。このピックアップ５０は、対物レンズ５１以外に、レーザビームを発振するレーザ発信機（ＬＤ）、コリメータレンズ、ビームスプリッタ、シリンカドリカルレンズ、フォトディテクタ（ＰＤ）などを備えて構成されている。ディスク（ＭＤ）は、図１のＰ方向から挿入することにより、挿排ホルダ４１ａの把持アーム４３により把持されクランパ２０内を移動しながら、昇降機構の作動によりターンテーブル３０上にセットされる。
【００３４】
ここで、本実施例１の特徴は、クランパ２０の内部に配置されるとともに、ＭＤ（ディスク）の挿排をおこなう挿排ホルダ４１ａの両端部に突起部７０を形成し、この突起部７０とクランパ２０を構成する鍔部８０とが互いに係合するように構成したことにある。
【００３５】
すなわち、図２に示すように、クランパ２０は四角形状の平板部２１（板金）と、この平板部２１の両側に位置する側壁部２２とにより構成され、これら側壁部２２には内方に向けて直角に屈曲した鍔部８０がそれぞれ設けられている。一方、挿排ホルダ４１ａは、この挿排ホルダ４１ａを内部に収納するクランパ２０の平板部２１よりも、僅かに幅寸法が小さい平板部４２により構成されるとともに、この平板部４２の両端部には、上方（図２の上側）に向けて突出する突起部７０が設けられている。
【００３６】
そして、図２に示すように、この挿排ホルダ４１ａは、クランパ２０の内部に配置された状態では、突起部７０の上面部７１が、クランパ２０に形成された鍔部８０の内面部８１と当接するように構成されている。すなわち、挿排ホルダ４１ａは、クランパ２０の内部で、このクランパ２０を構成する鍔部８０と挿排ホルダ４１ａに形成された突起部７０との係合により支持されている。これにより、挿排ホルダ４１ａによる挿排時に、この挿排ホルダ４１ａがクランパ２０の内部でピックアップ用開口部６０側（図２の右下）に向けて傾斜することが規制されるとともに、この挿排ホルダ４１ａの移動時に、ピックアップ用開口部６０からの脱落を防止することができる。
【００３７】
ここで、図２の例では、突起部７０を挿排ホルダ４１ａを構成する平板部４２の両端部に形成しているが、この突起部７０は、挿排ホルダ４１ａの両側ではなく、平板部４２の片側にのみ設けるようにしてもよい。この場合も、挿排ホルダ４１ａのいずれか一方に設けられた突起部７０が、クランパ２０の鍔部８０と当接するため、ピックアップ用開口部６０からの脱落防止効果を発揮することができる。
【００３８】
ここで、挿排ホルダ４１の両端部に形成する突起部７０は、挿排ホルダ４１ａを構成する材料（例えば、樹脂材料）と同一材料により一体成形することにより形成することができることから、この場合、挿排ホルダ４１ａに形成する突起部７０の製造を容易におこなうことができる。
【００３９】
以上説明したように、本実施例１によると、ＭＤの挿排をおこなう挿排ホルダ４１ａの両端部に突起部７０を形成し、この突起部７０の上面部７１とクランパ２０に形成した鍔部８０の内面部８１とを当接させることにより、クランパ２０の内部に配置された挿排ホルダ４１ａを、クランパ２０の鍔部８０と挿排ホルダ４１ａに形成された突起部７０との係合により支持することができるので、ピックアップ用開口部６０が大きく設定されていた場合であっても、このピックアップ用開口部６０から挿排ホルダ４１ａが脱落することを防止できる。これにより、ピックアップの形状（寸法）に制約を受けることなく、ＭＤの挿排時の挿排を良好におこなうことができる。
【実施例２】
【００４０】
次に、本発明のディスク再生装置におけるディスク挿排機構に係る実施例２を説明する。図３は、本実施例２に係る挿排機構の要部である挿排ホルダ４１ｂの拡大断面図を示している。ここで、前述した実施例１では、挿排ホルダ４１ａの両端部に、突起部７０を形成し、この突起部７０をクランパ２０の鍔部８０（内面部８１）に当接させることにより、ピックアップ用開口部６０から挿排ホルダ４１ａが脱落することを防止しているが、本実施例２では、挿排ホルダ４１ｂの両端部に設けた突起部７０を外方に向けて、突縁部７２とし、この突縁部７２と鍔部８０とを係合させる構成としたことに特徴がある。
【００４１】
すなわち、図３に示すように、挿排ホルダ４１ｂの両端部に設けた突起部７０は、外方に向けて、直角に延出させた突縁部７２とし、この突縁部７２と鍔部８０とを係合させるとともに、突縁部７２の上面部７１と鍔部８０の内面部８１とを当接させている。これにより、前述した実施例１よりも、突縁部７２と鍔部８０との係合作用が増大するものとなり、さらに、ピックアップ用開口部６０に対する挿排ホルダ４１ｂの脱落防止効果を向上することができる。
【００４２】
以上説明したように、本実施例２によると、ＭＤの挿排をおこなう挿排ホルダ４１ｂの両端部に設けた突起部７０を外方に向けて、突縁部７２とし、この突縁部７２の上面部７１と鍔部８０の内面部８１とを当接させているので、挿排ホルダ４１ｂの移動時に、ピックアップ用開口部６０から挿排ホルダ４１ｂが脱落することを防止することができる。
【実施例３】
【００４３】
次に、本発明のディスク再生装置におけるディスク挿排機構に係る実施例３を説明する。図４は、本実施例３に係る挿排機構の要部である挿排ホルダ４１ｃの拡大断面図を示している。ここで、本実施例３の特徴は、クランパ２０の両端部に設けた側壁部２２の高さ寸法ａと、挿排ホルダ４１ｃの両端部に形成した突起部７０の高さ寸法ｂとを所定の値となるように設定したことにある。
【００４４】
すなわち、図４に示すように、前記実施例１、２と同様に、挿排ホルダ４１ｃの両端部には突起部７０を形成しており、本実施例３において、側壁部２２の高さ寸法ａに対して、突起部７０の高さ寸法ｂは、突起部７０がクランパ２０の内面部８１と近接する位置となるように設定している。具体的には、クランパ２０の鍔部８０の内面部８１と突起部７０の上面部７１との間で、僅かに隙間ｔが生じるように側壁部２２の高さ寸法ａと突起部７０の高さ寸法ｂとを所定値に設定している。ここで、高さ寸法ａと突起部７０の高さ寸法ｂとの差により生じる隙間ｔは、クランパ２０に対して、挿排ホルダ４１の傾斜が最小となるように設定された値である。
【００４５】
上述したように、本実施例３では、クランパ２０を構成する側壁部２２の高さ寸法ａに対して、突起部７０の高さ寸法ｂは、突起部７０がクランパ２０の内面部８１と近接する位置となるように設定しし、この突起部７０の上面部７１と鍔部８０の内面部８１との間に隙間ｔが形成（保持）されるように構成しているので、挿排ホルダ４１ｃがピックアップ用開口部６０から脱落することを防止できるうえ、クランパ２０の内部で挿排ホルダ４１が傾斜する角度を最小とすることができる。また、安定した状態で挿排ホルダ４１をクランパ２０の内部で支持するとともに、クランパ２０内を移動する挿排ホルダ４１の摺動性を向上させることができる。
【実施例４】
【００４６】
次に、本発明のディスク再生装置におけるディスク挿排機構に係る実施例４を説明する。図５は、本実施例４に係る挿排機構の要部である挿排ホルダ４１ｄの拡大断面図を示している。すなわち、図５に示すように、本実施例４では、クランパ２０に形成された鍔部８０の上面側と挿排ホルダ４１ｄの突起部７０に形成された突縁部７２の下面側とが互いに係合するように構成している。
【００４７】
具体的には、クランパ２０に形成された鍔部８０の外面部８２に対して、挿排ホルダ４１ｄの突起部７０に形成された突縁部７２の下面部７３が当接するように構成している。これにより、挿排ホルダ４１ｄの突起部７０に形成された突縁部７２の下面部７３とクランパ２０の鍔部８０の外面部８２とが互いに係合することとなり、ＭＤ（ディスク）の挿排時に、クランパ２０内を移動する挿排ホルダ４１ｄは、鍔部８０に両側から支持された状態で、ピックアップ用開口部６０に対する挿排ホルダ４１ｄの脱落防止を図ることができる。
【実施例５】
【００４８】
次に、本発明のディスク再生装置における挿排機構に係る実施例５を説明する。図６は、本実施例５に係る挿排機構の要部である挿排ホルダ４１ｅの拡大断面図を示している。すなわち、図６に示すように、本実施例５では、クランパ２０の側壁部２２に形成されている突片９０により、挿排ホルダ４１ｅの突縁部７２を支持するように構成したことにある。具体的には、挿排ホルダ４１の突起部７０に形成された突縁部７２をクランパ２０の側壁部２２に形成されている突片２３の上面部に係合するように構成している。
【００４９】
これにより、挿排ホルダ４１ｅの突起部７０に形成された突縁部７２をクランパ２０の側壁部２２に形成されている突片２３により、両側から支持することにより、挿排ホルダ４１ｅの脱落防止を図ることができる。なお、図６に示す突片９０は、新たにクランパ２０に形成するものはなく、予め、ＭＤ（ディスク）の開閉シャッタを作動させるために設けられた突片を利用するものとする。
【００５０】
なお、前述した各実施例１〜５では、本発明のディスク再生装置におけるディスク挿排機構をＭＤディスク用のＭＤ（ミニディスク）を記録媒体とする再生装置に適用するものとしているが、本発明は、ＭＤだけではなく、その他カートリッジ型のディスクを記録媒体として使用するディスク再生装置に適用することができる。
【産業上の利用可能性】
【００５１】
以上のように、本発明に係るディスク再生装置におけるディスク挿排機構は、車載用のオーディオ装置として自動車に搭載されるＭＤ再生装置の挿排機構に適している。
【図面の簡単な説明】
【００５２】
【図１】本実施例１に係るディスク挿排機構が適用されるディスク再生装置の概略を示す構成図である。
【図２】図１に示したディスク挿排機構の要部を示す拡大断面図である。
【図３】本実施例２に係るディスク挿排機構の要部を示す拡大断面図である。
【図４】本実施例３に係るディスク挿排機構の要部を示す拡大断面図である。
【図５】本実施例４に係るディスク挿排機構の要部を示す拡大断面図である。
【図６】本実施例５に係るディスク挿排機構の要部を示す拡大断面図である。
【図７】従来のディスク挿排機構の要部を示す拡大断面図である。
【図８】ピックアップ用開口部から脱落する挿排ホルダを説明する図である。
【符号の説明】
【００５３】
１０  ＭＤ再生装置
１１  挿入口
２０  クランパ
２１、４２  平板部
２２  側壁部
３０  ターンテーブル
４０  挿排機構
４１ａ、４１ｂ、４１ｃ、４１ｄ、４１ｅ  挿排ホルダ
４３  把持アーム
４４  爪部
５０  ピックアップ
５１  対物レンズ
６０  ピックアップ用開口部
７０  突起部
７１  上面部
７２  突縁部
７３  下面部
８０  鍔部
８１  内面部
８２  外面部
【図１】
2005141877.tif 000003
【図２】
2005141877.tif 000004
【図３】
2005141877.tif 000005
【図４】
2005141877.tif 000006
【図５】
2005141877.tif 000007
【図６】
2005141877.tif 000008
【図７】
2005141877.tif 000009
【図８】
2005141877.tif 000010